(57)【特許請求の範囲】
【請求項１】
壁に設けられる収納部と、収納部から前方に出し入れ自在となり、その先端部に竿が吊り下げられるアーム機構と、このアーム機構に吊り下げられた竿を昇降する昇降機構とを備え、昇降機構が、ワイヤーと、収納部内に設けられてワイヤーの巻き取り・繰り出しを行うためのドラム機構を有して、ドラム機構から引き出されたワイヤーが、アーム機構の先端部を通して下方に引き出され、その下端が竿に接続されたものであることを特徴とする物干し装置。
【請求項２】
収納部に左右方向にスライド自在となるスライダーが設けられ、アーム機構は、一端部がスライダーに対して縦軸回りに回動自在に連結されると共に他端部に竿を吊り下げる吊下部が設けられたアーム部と、一端部が収納部に縦軸回りに回動自在に連結されると共に他端部がアーム部の長手方向の中間部を軸支するアーム支持部とを備えることを特徴とする請求項１に記載の物干し装置。
【請求項３】
収納部は、アーム機構の出入口となる開口を有するケースと、アーム機構の先端部に架設され、アーム機構の収納時に開口を覆うカバーとを備えることを特徴とする請求項１又は請求項２に記載の物干し装置。
【発明の詳細な説明】
【技術分野】
【０００１】
本発明は建物の壁に設けられる物干し装置に関する。
【背景技術】
【０００２】
例えば特許文献１には建物の壁に設けられる物干し装置が開示されている。この物干し装置は、壁の上部に設けられる収納部と、収納部内から斜め前下方に出し入れ自在となった吊り下げアームと、吊り下げアームに架設された竿を備えている。この物干し装置は、前記収納部から吊り下げアームを斜め前下方に引き下ろして、この吊り下げアームを斜め前下方に出し入れ自在としたので、使用者が竿に洗濯物を掛ける際に手が届き易く、しかも収納時の外観を良くすることができる。
【先行技術文献】
【特許文献】
【０００３】
【特許文献１】特許第３５０８６４０号公報
【発明の概要】
【発明が解決しようとする課題】
【０００４】
ところで、特許文献１の物干し装置では、竿を高さが使用者にとって洗濯物を掛け易い高さになるように、吊り下げアームの長さや角度等が設定されている。しかし、健常者にとって使い良い竿の高さは、例えば高齢者や車椅子の使用者にとっては高過ぎることがある。一方、竿を充分に低い位置まで下ろすには、吊り下げアームを含めて大掛かりな機構が必要になり、また、例えば子供がぶら下がって遊ぶといった危険性もある。このように、特許文献１の物干し装置では、使用環境に応じて竿の高さを設定することが困難であった。
【０００５】
本発明は上記事情に鑑みてなされたものであって、壁に配設でき、使用環境に応じて竿の高さを簡易に設定することができる物干し装置を提供することを課題とする。
【課題を解決するための手段】
【０００６】
上記課題を解決するために本発明の物干し装置は、壁２に設けられる収納部３と、収納部３から前方に出し入れ自在となり、その先端部に竿７が吊り下げられるアーム機構６と、このアーム機構６に吊り下げられた竿７を昇降する昇降機構８とを備え、昇降機構８が、ワイヤー１９と、収納部３内に設けられてワイヤー１９の巻き取り・繰り出しを行うためのドラム機構２０を有して、ドラム機構２０から引き出されたワイヤー１９が、アーム機構６の先端部を通して下方に引き出され、その下端が竿７に接続されたものであることを特徴とする。
【０００７】
以上の構成により、本発明の物干し装置１は、収納部３からアーム機構６を前方に突出し、この後、昇降機構８にてアーム機構６の先端部に吊り下げられた竿７を下降させて、竿７を干し位置に配置することができる。このため、竿７を簡単な機構により高齢者や車椅子の使用者にとって使い勝手の良い充分に低い位置まで下ろすことができ、一方、竿７を適宜に高い位置に上げれば子供がぶら下がって遊ぶことも防止できる。
【０００８】
また、本発明の好ましい形態では以下の構成を有する。収納部３に左右方向にスライド自在となるスライダー１２が設けられる。アーム機構６は、一端部がスライダー１２に対して縦軸回りに回動自在に連結されると共に他端部に竿７を吊り下げる吊下部５が設けられたアーム部１３と、一端部が収納部３に縦軸回りに回動自在に連結されると共に他端部がアーム部１３の長手方向の中間部を軸支するアーム支持部１５とを備える。
【０００９】
前記アーム機構６にあっては、スライダー１２をスライドさせることで、端部に吊下部５を有するアーム部１３をスライダー１２を中心に回動して収納部３から出入させることができる。また、このアーム機構６はアーム部１３とこれを軸支するアーム支持部１５とで構成され、簡易で且つ竿７を支持する支持強度の高いものである。
【００１０】
また、収納部３は、アーム機構６の出入口となる開口１１ａを有するケース１１と、アーム機構６の先端部に架設され、アーム機構６の収納時に開口を覆うカバー９とを備えることが好ましい。
【００１１】
この場合、アーム機構６をカバー９で覆って見栄え良く収納部３に収納することができる。また、アーム機構６の突出時及び収納時にはアーム機構６と共にカバー９を移動させることができ、アーム機構６を支障なく収納部３から出し入れできる。
【発明の効果】
【００１２】
本発明の物干し装置にあっては、使用環境に応じて竿の高さを簡易に設定することができる。
【図面の簡単な説明】
【００１３】
【図１】本発明の実施形態の一例の物干し装置の斜視図である。
【図２】同上の物干し装置を設置した状態を示す説明図であり、（ａ）は収納状態を示し、（ｂ）は使用状態を示す。
【図３】同上の物干し装置の収納状態における斜視図である。
【図４】同上の物干し装置を天井に沿って設置した状態を示す説明図であり、（ａ）は収納状態を示し、（ｂ）は使用状態を示す。
【図５】他例の物干し装置の正面図である。
【発明を実施するための形態】
【００１４】
以下、添付図面に基づいて本発明の実施形態につき説明する。図１乃至図４に示す本実施形態の一例の物干し装置１は、建物の壁２に設けられる収納部３と、収納部３から前方に出し入れ自在となり、その先端部に吊下部５が設けられたアーム機構６と、吊下部５に吊り下げられた竿７と、この竿７を昇降する昇降機構８とを備えている。
【００１５】
収納部３は、壁２に取り付けられてアーム機構６の出入口となる開口１１ａを有するケース１１と、ケース１１に収納されたアーム機構６の前方を覆うカバー９とを備えている。
【００１６】
ケース１１は横長でカバー９との間に長い竿７を収納できるよう充分な左右長さを有している。ケース１１は図２に示すように背面を建物の壁面２ａに沿わせた状態で壁２の上部に取り付けられる。なお、ケース１１は背面だけでなく図４に示すように上面を天井面１０ａに沿わせた状態で壁２に取り付けてもよく、このようにするとケース１１を壁２だけでなく天井１０に対しても固定できて強固に設置できる。
【００１７】
ケース１１の内部にはアーム機構６を収納するための収納空間がケース１１の長手方向の略全長に亘って形成され、ケース１１内にはアーム機構６や昇降機構８の駆動手段等に加えて、ケース１１に対して左右方向にスライド自在となるスライダー１２が左右両側に設けられている。
【００１８】
アーム機構６はケース１１の左右両側に設けられている。各アーム機構６の先端部に設けられた吊下部５により、竿７の長手方向の両端部のうち対応する端部が吊り下げられている。すなわち、竿７は両アーム機構６により両端部が支持されている。
【００１９】
各アーム機構６は、一端部が対応するスライダー１２に対して縦軸回りに回動自在に連結されると共に他端部に前記吊下部５が設けられたアーム部１３と、一端部がケース１１に縦軸回りに回動自在に連結されると共に他端部がアーム部１３の長手方向の中間部を軸支するアーム支持部１５とで構成されている。
【００２０】
各アーム部１３の吊下部５が設けられた端部及び各アーム支持部１５のケース１１に連結された端部は、左右方向においてケース１１の長手方向の端部と略同じ位置に配置されている。各アーム機構６のアーム支持部１５のケース１１側の端部はケース１１の長手方向の端部に位置し、同部はケース１１においてスライダー１２の外側方に位置している。
【００２１】
アーム機構６は、スライダー１２を左右方向にスライドさせることで、アーム部１３をケース１１から前方に突出させたりケース１１に収納させるものであり、両アーム部１３の出し入れは同期するよう設定されている。
【００２２】
図１に示すようにケース１１には、左右方向にレール１７が設けられ、両スライダー１２は、このレール１７に係止されている。また、レール１７の両端部には、夫々定荷重バネ１８が設けられており、両スライダー１２は、定荷重バネ１８によって互いに反対方向に付勢されている。なお、両スライダー１２は、後述する電動モータ１６によって駆動される一対のワイヤー（図示せず）に連結されていてもよい。この場合、ワイヤーは、モーター１６にギアを介して接続された一対のドラム（図示せず）で左右同期して巻き取り・繰り出しがなされる。
【００２３】
一方、竿７を昇降させる昇降機構８は、モーター１６と竿７を吊り下げるワイヤー１９と、ワイヤー１９の巻き取り・繰り出しを行うドラム機構２０とで構成されている。本例では２本のワイヤー１９で竿７が吊り下げられ、各ワイヤー１９は竿７の対応する端部に接続されている。ドラム機構２０から引き出された各ワイヤー１９は、ケース１１の長手方向の端部に設けられたプーリを介して前方に位置する吊下部５に通され、この後、下方に引き出され、その下端が竿７の両端部の夫々に接続されている。これにより、各ワイヤー１９が竿７から受ける荷重は両吊下部５にかかるようになっており、つまり、アーム機構６の先端部に竿７が吊り下げられた態様となる。
【００２４】
ケース１１に収納された両アーム機構６を前方に突出するには、モーター１６によってワイヤー１９を繰り出すことで、バネ付勢された両スライダー１２を互いに離れる方向（図１中矢印ａ）にスライドさせる。すると、各アーム部１３は、その中間部に連結されたアーム支持部１５をケース１１側の端部を中心に前側（図１中矢印ｂ）に回動させつつ、自身がスライダー１２を中心に前側（図１中矢印ｃ）に回動する。これによって両アーム機構６は図１のように両アーム部１３をハ字状とした突出状態となる。このように両アーム機構６を突出することで、両吊下部５に吊り下げられた竿７は壁面２ａから前方に離れた位置に配置される。
【００２５】
逆に突出状態にある両アーム機構６をケース１１に収納するには、モーター１６によりワイヤー１９を巻き取って、両スライダー１２を互いに近づく方向（図１中矢印ｄ）にスライドさせる。すると、各アーム部１３はアーム支持部１５を後側（図１中矢印ｅ）に回動させつつスライダー１２を中心に後側（図１中矢印ｆ）に回動し、これによって各アーム機構６はアーム部１３及びアーム支持部１５を左右方向と平行にしてケース１１に収納される。このように両アーム機構６を収納部３に収納することで、昇降機構８により上限位置まで引き上げられた竿７を収納できるようになっている。
【００２６】
本例の各アーム機構６はアーム部１３とこれを支持するアーム支持部１５とで構成された簡易で且つ竿７を支持する支持強度が高いものである。また、本例の両アーム機構６は左右対称となっており、竿７をバランス良く支持できるようになっている。
【００２７】
両アーム機構６の先端部には両アーム機構６の前方を覆うように横長のカバー９が架設されている。カバー９の左右長さはケース１１と略同じであり、両アーム機構６の前方を覆うことができる。また、カバー９の下部にて昇降機構８により上限位置まで引き上げられた竿７の前方をも覆うことができる。
【００２８】
カバー９は両アーム機構６を収納状態とした時にケース１１の開口１１ａを閉塞し、ケース１１に収納された両アーム機構６や竿７の前方を覆う。これにより、収納状態では図３のように見栄えの良い外観となる。また、このカバー９は、アーム機構６の突出時及び収納時にはアーム機構６と共に前後に移動するので、アーム機構６を支障なくケース１１から出し入れできる。
【００２９】
昇降機構８はモーター１６を駆動して、アーム機構６を最も突出させた状態、すなわち両スライダー１２がケース１１の両端部に達した状態で、ワイヤー１９の巻き取り・繰り出しを行うことにより両吊下部５の下方において竿７を昇降させる。
【００３０】
竿７の下降には竿７の自重やばね等の付勢手段が利用され、前記モーター１６によりドラム機構２０を駆動してワイヤー１９を繰り出すことで竿７は下ろされる。また、竿７の上昇はモーター１６によりドラム機構２０でワイヤー１９を巻き取ることで行われる。この昇降機構８にて竿７はケース１１に収納可能となる上限位置から下降させた干し位置までの範囲を昇降できるようになっている。なお、各ワイヤー１９の下端は竿７に直接接続してもよいし、竿７を着脱自在に保持する竿保持部に接続し、間接的に竿７に接続してもよい。
【００３１】
物干し装置１を利用する場合、図２（ａ）に示すようにアーム機構６及び竿７をケース１１に収納した状態から、前述のようにアーム機構６をケース１１から前方に突出して竿７をケース１１前方に移動し、この後、昇降機構８により竿７を干し位置まで下降させ、図２（ｂ）に示す使用状態とする。そして、この干し位置に配置された竿７に洗濯物を掛けて部屋干しを行う。逆に図２（ｂ）の使用状態から図２（ａ）の収納状態とするには、昇降機構８により竿７を上限位置にまで上昇させ、この後、アーム機構６をケース１１に収納する。
【００３２】
以上説明した本例の物干し装置１は、収納部３から水平に突出するアーム機構６と、アーム機構６の先端部に吊り下げられた竿７を鉛直方向に昇降させる昇降機構８とで竿７を干し位置まで下降させることができる。このため、簡単な機構により竿７を高齢者や車椅子の使用者にとって使い勝手の良い充分に低い位置まで下ろすことができ、一方、竿７を適宜に高い位置に上げれば子供がぶら下がって遊ぶことも防止できる。
【００３３】
なお、本例のアーム機構６の前方への突出量や昇降機構８によるアーム機構６からの竿７の下降量は一定又は可変のいずれであってもよく、両者共に可変とした場合には竿７の前後位置及び上下位置を夫々独立して変更することができ、前後位置及び上下位置のいずれをも満足できる位置に竿７を配置できる。
【００３４】
ここで、上記一例の物干し装置１は昇降機構８及びアーム機構６を電動にしたが、昇降機構８及びアーム機構６は手動により動作するようにしてもよく、この例を以下に説明する。なお、以下の他例の説明では上記一例と同一の構成については同一の番号を付し、重複する説明は省略する。
【００３５】
図５に示す他例におけるアーム機構６の駆動手段は、両スライダー１２を動作させるワイヤー２２、手動によりワイヤー２２の巻き取り・繰り出しを行うためのハンドル２３、及び、アーム機構６が突出状態から収納状態となるようアーム機構６又はスライダー１２に付勢力を与える図示しない付勢手段を備えている。ハンドル２３は使用者が容易に操作できる部屋の下部等に設けられ、該ハンドル２３にてワイヤー２２を巻き取ることでアーム機構６を突出させ、また、ハンドル２３にてワイヤー２２を繰り出すことで前記付勢手段の付勢力によりアーム機構６を収納できるようになっている。
【００３６】
昇降機構８の駆動手段は、竿７の両端部に接続されたワイヤー２５、ワイヤー２５を手動により巻き取り・繰り出しを行う操作部を備えている。操作部はハンドル２３で構成されている。すなわち、ハンドル２３は、ワイヤー２２の巻き取り・繰り出しを行っているときにはワイヤー２５の巻き取り・繰り出しを行わず、且つ、ワイヤー２５の巻き取り・繰り出しを行っているときにはワイヤー２２の巻き取り・繰り出しを行わない。なお、昇降機構８の駆動手段の操作部はハンドル２３とは別に設けてもよい。
【００３７】
また、ワイヤー２５は一例のワイヤー１９と同様にケース１１から前方に引き出されて両吊下部５に通された後に竿７に接続されるが、このワイヤー２５は、ケース１１からアーム支持部１５に沿って引き出された後、アーム支持部１５とアーム部１３の接続部分に設けられたプーリ（図示せず）で引っ掛けられ、この後、吊下部５を通して下方に引き出されている。このようにワイヤー２５をアーム部１３とアーム支持部１５の接続部分にあるプーリを介して吊下部５に導くことで、ワイヤー２５のケース１１から吊下部５に至るまでの長さをアーム機構６の出没状態に関わらず常に一定にすることができ、アーム機構６を収納状態としたときにワイヤー２５が弛むことを防止できる。
【符号の説明】
【００３８】
１  物干し装置
２  壁
３  ケース
６  アーム機構
７  竿
８  昇降機構
９  カバー
１１  収納部
１３  アーム部
１５  アーム支持部
【図１】
0005513794.tif 000002
【図２】
0005513794.tif 000003
【図３】
0005513794.tif 000004
【図４】
0005513794.tif 000005
【図５】
0005513794.tif 000006